(57)【要約】【課題】タッチパネルの指紋の跡を目立ち難くする。【解決手段】セキュリティ装置は、タッチパネルと、前記タッチパネルに入力された認証パターンにより認証を行う認証部と、を備える。前記タッチパネルには、前記認証パターンの入力時にユーザーの指が最後に接触すべき終点が予め定められており、前記認証部は、前記ユーザーの指が前記タッチパネルに接触し、前記タッチパネルから離間しない状態で、前記タッチパネルの上を前記ユーザーの指がスライドすることによって前記認証パターンが入力された後、前記ユーザーの指が前記終点で前記タッチパネルから離間されたときに前記ユーザーが入力した前記認証パターンを確定し、確定した前記認証パターンを用いて認証を行う。【選択図】図５
2018022266.tif 000002
【特許請求の範囲】
【請求項１】
セキュリティ装置であって、
タッチパネルと、
前記タッチパネルに入力された認証パターンにより認証を行う認証部と、
を備え、
前記タッチパネルには、前記認証パターンの入力時にユーザーの指が最後に接触すべき終点が予め定められており、
前記認証部は、
前記ユーザーの指が前記タッチパネルに接触し、
前記タッチパネルから離間しない状態で、前記タッチパネルの上を前記ユーザーの指がスライドされることによって前記認証パターンが入力された後、
前記ユーザーの指が前記終点で前記タッチパネルから離間されたときに前記ユーザーが入力した前記認証パターンを確定し、
確定した前記認証パターンを用いて認証を行う、
セキュリティ装置。
【請求項２】
セキュリティ装置であって、
タッチパネルと、
前記タッチパネルに入力された認証情報により認証を行う認証部と、
を備え、
前記タッチパネルは、ユーザーに前記認証情報を入力させるための複数の認証情報入力キーと、前記タッチパネルの掃除のために存在する始点及び終点とを表示し、
前記認証部は、
前記認証情報が入力された後、
前記ユーザーの指が前記始点に接触し、その後、前記ユーザーの指が前記タッチパネルから離間しない状態で前記複数の認証情報入力キーの全部を通って前記終点までスライドされ、前記ユーザーの指が前記終点に達したときに前記ユーザーの入力した前記認証情報を確定し、
確定した前記認証情報を用いて認証を行う、
セキュリティ装置。
【請求項３】
請求項２に記載のセキュリティ装置であって、
前記タッチパネルは、
前記複数の認証情報入力キーを１つの線の上に並ぶように表示し、
前記線の延長上の位置であって前記複数の認証情報入力キーを挟む位置に、前記始点と前記終点を表示する、
セキュリティ装置。
【請求項４】
請求項２または３に記載のセキュリティ装置であって、
前記タッチパネルは、認証毎に前記始点と前記終点を交互に入れ替えて表示する、
セキュリティ装置。
【請求項５】
請求項２から４のいずれか一項に記載のセキュリティ装置であって、
前記認証情報が入力された後、
前記タッチパネルは、前記始点から、前記複数の認証情報入力キーの全部を通り前記終点に至る案内線を表示し、
前記認証部は、
前記始点に前記ユーザーの指が接触された後、前記ユーザーの指が前記タッチパネルから離間しない状態で前記案内線に沿って前記終点までスライドされ、前記ユーザーの指が前記終点に達したときに前記ユーザーの入力した前記認証情報を確定し、
確定した前記認証情報を用いて認証を行う、
セキュリティ装置。
【請求項６】
請求項１から５のいずれか一項に記載のセキュリティ装置であって、
前記タッチパネルは、透明である、
セキュリティ装置。
【発明の詳細な説明】
【技術分野】
【０００１】
本発明は、セキュリティ装置に関する。
【背景技術】
【０００２】
特許文献１には、ユーザーによって、タッチパネルの接触面が複数回接触されると、接触された領域の順序が検出され、領域順序データとして予め記憶された順序と比較される認証装置が記載されている。接触された領域の順序が一致していれば、パスワードが認証され、パネルロックモードが解除されることが開示されている。
【先行技術文献】
【特許文献】
【０００３】
【特許文献１】特開２０１３−１３８８８９号公報
【発明の概要】
【発明が解決しようとする課題】
【０００４】
タッチパネルの接触面に指が複数回接触されると、指の接触したところに指の指紋の跡が残り、接触面が見苦しくなる場合がある。そのため、指紋の跡を目立ち難くする技術が望まれていた。
【課題を解決するための手段】
【０００５】
本発明は、上述の課題の少なくとも一部を解決するためになされたものであり、以下の形態として実現することが可能である。
【０００６】
（１）本発明の一形態によれば、セキュリティ装置が提供される。このセキュリティ装置は、タッチパネルと、前記タッチパネルに入力された認証パターンにより認証を行う認証部と、を備える。前記タッチパネルには、前記認証パターンの入力時にユーザーの指が最後に接触すべき終点が予め定められており、前記認証部は、前記ユーザーの指が前記タッチパネルに接触し、前記タッチパネルから離間しない状態で、前記タッチパネルの上を前記ユーザーの指がスライドされることによって前記認証パターンが入力された後、前記ユーザーの指が前記終点で前記タッチパネルから離間されたときに前記ユーザーが入力した前記認証パターンを確定し、確定した前記認証パターンを用いて認証を行う。
この形態によれば、ユーザーの指がタッチパネルに接触し、タッチパネルから離間しない状態でタッチパネルの上をスライドされることによって認証パターンが入力され、認証パターンの入力時に最後に接触すべき終点でユーザーの指がタッチパネルから離間されたときにユーザーが入力した認証パターンを確定して認証を行う。その結果、タッチパネルの終点以外のユーザーの指の指紋跡は、認証パターンが入力されるときのスライドで拭き取られるので、指紋の跡が目立ち難くなる。
【０００７】
（２）本発明の一形態によれば、セキュリティ装置が提供される。このセキュリティ装置は、タッチパネルと、前記タッチパネルに入力された認証情報により認証を行う認証部と、を備える。前記タッチパネルは、ユーザーに前記認証情報を入力させるための複数の認証情報入力キーと、前記タッチパネルの掃除のために存在する始点及び終点とを表示し、前記認証部は、前記認証情報が入力された後、前記ユーザーの指が前記始点に接触し、その後、前記ユーザーの指が前記タッチパネルから離間しない状態で前記複数の認証情報入力キーの全部を通って前記終点までスライドされ、前記ユーザーの指が前記終点に達したときに前記ユーザーの入力した前記認証情報を確定し、確定した前記認証情報を用いて認証を行う。
この形態によれば、ユーザーが認証情報を入力するときに接触したタッチパネルの認証情報入力キーの上に付着した指紋の跡は、ユーザーの指が始点に接触し、その後タッチパネルから離間しない状態で、複数の認証情報入力キーの全部を通って終点までスライドされることによって拭き取られるので、指紋の跡が目立ち難くなる。
【０００８】
（３）上記形態のセキュリティ装置において、前記タッチパネルは、前記複数の認証情報入力キーを１つの線の上に並ぶように表示し、前記線の延長上の位置であって前記複数の認証情報入力キーを挟む位置に、前記始点と前記終点を表示してもよい。
この形態によれば、始点から認証情報入力キーを通って終点に至るラインは連続した線となるので、ユーザーは、指を始点から複数の認証情報入力キーの全部を通って終点までスライドするときに、複雑な動きをしなくてもよい。
【０００９】
（４）上記形態のセキュリティ装置において、前記タッチパネルは、認証毎に前記始点と前記終点を交互に入れ替えて表示してもよい。
この形態によれば、認証毎に始点と終点が交互に入れ替わるので、前回の認証における終点が今回のスライドの始点になる。その結果、前回の認証において終点に残っていた指紋の跡を拭き取ることができ、指紋の跡が目立ち難くなる。
【００１０】
（５）上記形態のセキュリティ装置において、前記認証情報が入力された後、前記タッチパネルは、前記始点から、前記複数の認証情報入力キーの全部を通り前記終点に至る案内線を表示し、前記認証部は、前記始点に前記ユーザーの指が接触された後、前記ユーザーの指が前記タッチパネルから離間しない状態で前記案内線に沿って前記終点までスライドされ、前記ユーザーの指が前記終点に達したときに前記ユーザーの入力した前記認証情報を確定し、確定した前記認証情報を用いて認証を行ってもよい。
この形態によれば、ユーザーは、認証情報の入力後、案内線に沿って指をスライドさせれば、ユーザーが迷うことは無い。また、案内線は、ユーザーが認証情報を入力したときに接触した認証情報入力キーを通るので、認証情報入力キーの指紋の後を拭き取ることができ、指紋の跡が目立ち難くなる。
【００１１】
（６）上記形態のセキュリティ装置において、前記タッチパネルは、透明であってもよい。
透明なタッチパネルは、透明でないタッチパネルよりも指紋の跡が目立ちやすいので、指紋の跡を拭き取る効果が大きい。
【００１２】
なお、本発明は、種々の形態で実現することが可能であり、例えば、セキュリティ装置の他、認証装置、タッチパネル等の形態で実現することができる。
【図面の簡単な説明】
【００１３】
【図１】第１実施形態におけるセキュリティ装置を示す説明図。
【図２】セキュリティ装置の側面視。
【図３】セキュリティ装置のブロック図。
【図４】第１実施形態における認証パターン入力前のタッチパネルの表示画面の一例。
【図５】第１実施形態における認証パターン入力直後のタッチパネルの状態を示す説明図。
【図６】第１実施形態における図５と異なる認証パターン入力直後のタッチパネルの状態を示す説明図。
【図７】第２実施形態における認証情報入力前のタッチパネルの表示画面の一例。
【図８】第２実施形態における認証情報入力後、指のスライド前のタッチパネルの状態を示す説明図。
【図９】第２実施形態における指のスライド直後のタッチパネルの状態を示す説明図。
【図１０】変形例１における認証情報入力前のタッチパネルの表示画面の一例。
【図１１】変形例２における認証情報入力前のタッチパネルの表示画面の一例。
【図１２】変形例３における認証情報入力前のタッチパネルの表示画面の一例。
【図１３】変形例４における認証情報入力前のタッチパネルの表示画面の一例。
【図１４】変形例５における認証情報入力前のタッチパネルの表示画面の一例。
【図１５】変形例６における認証情報入力前のタッチパネルの表示画面の一例。
【図１６】変形例７における認証情報入力前のタッチパネルの表示画面の一例。
【発明を実施するための形態】
【００１４】
・第１実施形態：
図１は、本実施形態におけるセキュリティ装置１０を示す説明図である。第１施形態では、セキュリティ装置１０は、例えば、美術館に設置されることによって、館員用の出入り口の開錠を制御する装置である。なお、セキュリティ装置１０は、事業所あるいは倉庫などの出入り口に設置されて、それらの出入り口の開錠を制御してもよい。また、セキュリティ装置１０は、労働時間を記録するタイムレコーダに備えられてもよい。そのような態様においては、セキュリティ装置１０は、社員からタッチパネルに認証パターンが入力されることにより、タイムレコーダに、認証パターンで特定された個人の労働時間の開始および終了を記録させる。
【００１５】
セキュリティ装置１０は、タッチパネル１００と、突出部３１０と、を備える。セキュリティ装置１０は、ユーザーにより、タッチパネル１００に入力された認証パターンを用いてユーザーの認証を行う。図１において、壁部３００は、セキュリティ装置１０が設置された美術館の館内の壁である。突出部３１０は、壁部３００より水平方向に突出しているとともに、重力方向上側を向いた水平な面３１５を有する。第１実施形態では、タッチパネル１００は、突出部３１０の水平な面３１５の上に設置される態様である。なお、セキュリティ装置１０は、壁部３００と床面に設置される態様であってもよく、壁部３００と天井に設置される態様であってもよい。タッチパネル１００は、透明であり、セキュリティ装置１０はタッチパネル１００を通して、壁部３００を見ることができるように構成されている。なお、タッチパネル１００は、透明で無くてもよい。
【００１６】
図２は、セキュリティ装置１０の側面視である。タッチパネル１００は、その下辺が壁部３００から突出した突出部３１０の上に取り付けられ、その上辺が壁部３００に取り付けられていることがわかる。なお、タッチパネル１００は、下辺で支持されて自立できるのであれば、上辺が壁部３００に取り付けられていなくてもよい。
【００１７】
図３は、セキュリティ装置１０のブロック図である。セキュリティ装置１０は、ＣＰＵ２０と、タッチパネル１００と、認証部２００とを備える。タッチパネル１００は、ユーザーが認証パターンを入力するときの入力画面を表示するとともに、ユーザーからの認証パターンの入力を受け付ける。認証部２００は、ユーザーから入力された認証パターンが予め定められた認証パターンと一致するか否かにより、認証パターンを入力したユーザーの認証を行う。
【００１８】
図４は、第１実施形態における認証パターン入力前のタッチパネル１００の表示画面の一例である。タッチパネル１００は、ユーザーが認証パターンを入力するための複数の入力用点１１０と、終点１２０とを表示する。複数の入力用点１１０は、例えば、３行×３列の９個の点で構成されている。終点１２０は、入力用点１１０が表示される領域の外側に配置されている。図４で示す例では、終点１２０は、入力用点１１０の右下端部にある入力用点１１０ｅの右側に配置されており、入力用点１１０が表示される領域の外側に配置されている。
【００１９】
ユーザーは、
（ｉ）指をタッチパネル１００に接触させ、
（ｉｉ）その後、指がタッチパネル１００から離間しない状態で、タッチパネル１００をスライドすることによって、入力用点１１０を通る認証パターンを指で描き、
（ｉｉｉ）指がタッチパネル１００から離間しない状態で終点１２０まで指を移動し、（ｉｖ）終点１２０で指をタッチパネル１００から離間する、
ことにより認証パターンを入力する。
【００２０】
図５は、第１実施形態における認証パターン入力直後のタッチパネル１００の状態を示す説明図である。図５に示す例では、ユーザーは、左上→中上→右上→中中→左下→中下→右下→終点１２０と指を動かし、認証パターンを入力している。図５では、入力された認証パターンが指のスライドの跡１３０として図示されている。認証部２００は、終点１２０でユーザーの指がタッチパネル１００から離間したとき、ユーザーによる認証パターンの入力を確定し、予め定められた認証パターンと一致するか否かにより、認証パターンを入力したユーザーの認証を行う。ユーザーが入力した認証パターンと、予め定められた認証パターンとが一致した場合には、セキュリティ装置１０は、館員用の出入り口を開錠し、一致しない場合には、施錠状態を維持する。
【００２１】
図６は、第１実施形態における図５と異なる認証パターン入力直後のタッチパネルの状態を示す説明図である。図６に示す例では、ユーザーは、左上→左中→左下→中下→右下→終点１２０と指を動かし、認証パターンを入力している。図６では、入力された認証パターンが指のスライドの跡１３０として図示されている。認証部２００は、終点１２０でユーザーの指がタッチパネル１００から離間したとき、ユーザーによる認証パターンの入力を確定し、予め定められた認証パターンと一致するか否かにより、認証パターンを入力したユーザーの認証を行う。図５と図６を比較すればわかるように、終点１２０は、認証パターンの種類に関係なく全て同じである。
【００２２】
以上、第１実施形態によれば、ユーザーは、
（ｉ）指をタッチパネル１００に接触させ、
（ｉｉ）その後、指がタッチパネル１００から離間しない状態で、タッチパネル１００の上をスライドすることによって、入力用点１１０を通る認証パターンを指で描き、
（ｉｉｉ）指がタッチパネル１００から離間しない状態で終点１２０まで指を移動し、（ｉｖ）終点１２０で指をタッチパネル１００から離間する、
ことにより認証パターンを入力する。その結果、入力用点１１０のユーザーの指紋の跡は、ユーザーの指がタッチパネル１００から離間しない状態でタッチパネル１００の上をスライドすることで、拭き取られるので跡が残りにくい。また、指紋の跡が残るのは、終点１２０だけであるので、タッチパネル１００の指紋の跡が目立ち難くなる。
【００２３】
第１実施形態では、タッチパネル１００は、３行３列の９個の入力用点１１０を表示しているが、３行×３列以外の入力用点１１０を表示してもよい。タッチパネル１００は、入力用点１１０として、例えば４行４列の１６個、あるいは５行×５列の２５個を表示してもよい。また、タッチパネル１００は、入力用点１１０を２行×５列のように、行の数と列の数が異なる入力用点１１０を表示してもよい。また、タッチパネル１００は、入力用点１１０を表示しなくてもよい。ユーザーは、入力用点１１０が表示されなくても、認証パターンを入力できるからである。但し、入力用点１１０が表示されていると、ユーザーは、認証パターンを入力するときの指の移動先の目安として入力用点１１０を利用できる。
【００２４】
・第２実施形態：
図７は、第２実施形態における認証情報入力前のタッチパネル１００の表示画面の一例である。第１実施形態では、ユーザーが認証パターンを入力したが、第２実施形態では、ユーザーが認証情報を入力する点が異なる。
【００２５】
第２実施形態では、タッチパネル１００は、ユーザーが認証パターンを入力するための複数の認証情報入力キー１４０と、始点１４１と終点１４２と、入力番号表示欄１５０と、を表示する。図７に示す例では、タッチパネル１００は、認証情報入力キー１４０として、０から９までの１０個の数字キーと、Ｄｅｌキー（「Ｄ」と表示）の合計１１個の認証情報入力キー１４０を表示している。Ｄｅｌキーは、入力した文字を訂正するための１文字削除キーである。図７では、複数の認証情報入力キー１４０（１０個の数字キー及びＤｅｌキー）は、１つの直線の上に並ぶように、横１行に表示されている。この直線の延長上であって、複数の認証情報入力キー１４０を挟む位置に、始点１４１（「Ｓ」と表示）と終点１４２（「Ｅ」と表示）が表示されている。始点１４１と終点１４２は、タッチパネル１００の掃除のために存在する点である。但し、第２実施形態では、始点１４１と終点１４２を、認証情報の入力の確定のためにも用いている。第２実施形態では、タッチパネル１００は、複数の認証情報入力キー１４０を、左から右に向かって０から９の昇順に表示し、９の右側にＤｅｌキーを表示している。複数の認証情報入力キー１４０の順番は、上述した順番以外であってもよい。また、タッチパネル１００は、この複数の認証情報入力キー１４０の並び順を認証毎に変えてもよい。複数の認証情報入力キー１４０の並び順を、認証毎に変えれば、他のユーザーが認証情報を入力中のユーザーの指の動きから認証情報を読み取ることを抑制できる。
【００２６】
入力番号表示欄１５０は、ユーザーによって入力された認証情報を表示する。但し、入力番号表示欄１５０は、他のユーザーがタッチパネル１００を覗き込んでも認証情報が解らないように、アスタリスクや黒丸等の記号により表示されることが好ましい。
【００２７】
図８は、第２実施形態における認証情報入力後、指のスライド前のタッチパネル１００の状態を示す説明図である。図８に示す例では、認証情報入力キー１４０のうち、２、３、４、９の４つの認証情報入力キー１４０がユーザーによって接触され、２、３、４、９の４つの認証情報入力キー１４０に指紋の跡が残っている。
【００２８】
図９は、第２実施形態における指のスライド直後のタッチパネル１００の状態を示す説明図である。ユーザーは、指を始点１４１に接触させ、その後、ユーザーの指がタッチパネル１００から離間しない状態で、複数の認証情報入力キー１４０の全部を通って終点１４２までスライドする。ユーザーの指が終点１４２に達すると、ユーザーの認証情報の入力が確定する。図９には、始点１４１から終点１４２に至るユーザーの指のスライドの跡１６０が図示されている。ユーザーの指のスライドの跡１６０は、全ての認証情報入力キー１４０を通っていることがわかる。その結果、図８で説明した２、３、４、９の４つの認証情報入力キー１４０に残る指紋の跡は指のスライドによって拭き取られて掃除され、目立ち難くなる。なお、（ｉｉ）においては、ユーザーは、指を始点１４１に接触させ、その後、ユーザーの指がタッチパネル１００から離間しない状態で、複数の認証情報入力キー１４０の全部を通って終点１４２までスライドすればよく、指のスライド中に複数の認証情報入力キー１４０に触れるときの各認証情報入力キー１４０の順番は、（ｉ）の認証情報の接触順と一致していなくてもよい。
【００２９】
認証部２００は、確定した認証情報が予め定められた認証情報と一致するか否かにより、認証情報を入力したユーザーの認証を行う。ユーザーが入力した認証情報と、予め定められた認証情報とが一致した場合には、セキュリティ装置１０は、館員用の出入り口を開錠し、一致しない場合には、施錠状態を維持する。
【００３０】
以上、第２実施形態によれば、ユーザーが、認証情報入力キー１４０に接触して認証情報を入力した後、ユーザーの指が始点１４１の接触し、その後、ユーザーの指がタッチパネル１００からユーザーの指が離間しない状態で、複数の認証情報入力キー１４０の全部を通って終点１４２までスライドされたときに認証情報の入力を完了する。この指のスライド時に、認証情報入力キー１４０に残った指紋の跡が拭き取られるので、タッチパネル１００の指紋の跡が目立ち難くなる。
【００３１】
タッチパネル１００は、複数の認証情報入力キー１４０を１つの直線の上に並ぶように表示し、その直線の延長上の位置であって複数の認証情報入力キー１４０を挟む位置に、始点１４１と終点１４２を表示する。その結果、始点１４１から認証情報入力キー１４０を通って終点１４２に至るラインは１つの線となるので、ユーザーは、指を始点１４１から複数の認証情報入力キー１４０の全部を通って終点１４２までスライドするときに、複雑な動きをしなくてもよい。
【００３２】
・変形例１：
図１０は、変形例１における認証情報入力前のタッチパネル１００の表示画面の一例である。図１０と図７とを比較すると、始点１４１と終点１４２の位置が入れ替わっていることがわかる。変形例１では、タッチパネル１００は、認証毎に、図７と図１０の画面を交互に表示する。すなわち、変形例１では、認証毎に始点１４１と終点１４２の位置が入れ替わる。
【００３３】
終点１４２の位置を固定すると、終点１４２の指紋の跡は拭き取られないため、終点１４２以外の指紋の跡が拭き取られても、終点１４２に指紋の跡が残るおそれがある。変形例１では、次回（例えばｎ＋１回目、ｎは自然数）の認証では、今回（例えばｎ回目）の終点１４２の位置が始点１４１となるため、今回の終点１４２に残った指紋の跡が次回の認証における認証情報確定のための始点１４１から終点１４２へのスライドにより拭き取られる。その結果、指紋の跡を目立ち難くできる。
【００３４】
・変形例２：
図１１は、変形例２における認証情報入力前のタッチパネル１００の表示画面の一例である。図７、図１０に示す第２実施形態及び変形例１では、複数の認証情報入力キー１４０は横一行に並ぶように表示されているが、図１１に示す変形例２では、複数の認証情報入力キー１４０は縦一列に並ぶように表示されている。このように、複数の認証情報入力キー１４０は、縦に並ぶように表示されていてもよい。
【００３５】
・変形例３：
図１２は、変形例３における認証情報入力前のタッチパネル１００の表示画面の一例である。図７、図１０に示す第２実施形態及び変形例１では、複数の認証情報入力キー１４０は横一行に並ぶように表示され、図１１に示す変形例２では、複数の認証情報入力キー１４０は縦一列に並ぶように表示されているが、図１２に示す変形例３では、複数の認証情報入力キー１４０は斜めに並ぶように表示されている。このように、複数の認証情報入力キー１４０は、斜めに並ぶように表示されていてもよい。
【００３６】
・変形例４：
図１３は、変形例４における認証情報入力前のタッチパネル１００の表示画面の一例である。図７、図１０〜１１に示す第２実施形態及び変形例１〜３では、複数の認証情報入力キー１４０は、１つの直線の上に並ぶように表示されているが、図１３に示す変形例４では、複数の認証情報入力キー１４０は、アルファベットの「Ｌ」の文字に沿って、すなわち２つの直線に並ぶように表示されている。２つの直線は、１つの線を形成している。始点１４１と終点１４２は、その１つの線の延長上の位置に表示されている。このように、複数の認証情報入力キー１４０は、１つの直線に限られず１つの線を形成する２つの直線に並ぶように表示されていてもよい。
【００３７】
・変形例５：
図１４は、変形例５における認証情報入力前のタッチパネル１００の表示画面の一例である。変形例５では、複数の認証情報入力キー１４０は、アルファベットの「Ｕ」の文字に沿って並ぶように、すなわち、３つの直線の上に並ぶように表示され、３つの直線は、１つの線を形成している。始点１４１と終点１４２は、その１つの線の延長上の位置であり、「Ｕ」の文字を一筆書きするときの始点と終点の上に表示されている。変形例４、５からわかるように、複数の認証情報入力キー１４０は、１つの線上であれば、１つの直線の上に並んでいなくてもよく、２つあるいはそれ以上の直線に並ぶように表示されていてもよい。
【００３８】
・変形例６：
図１５は、変形例５における認証情報入力前のタッチパネル１００の表示画面の一例である。図７、図１０〜１３に示す第２実施形態及び変形例１〜５では、複数の認証情報入力キー１４０は、直線上に並ぶように表示されているが、図１５に示す変形例５では、上に凸となる曲線に沿って表示されている。ユーザーが始点１４１から終点１４２まで指をスライドさせるとき、肘関節を中心として腕を回転させてスライドさせる場合がある。この場合、まっすぐな直線よりも上に凸となる曲線の方が、ユーザーは複数の認証情報入力キー１４０に沿って指をスライドさせ易い。
【００３９】
第２実施形態及び変形例１〜６では、図７〜１５に示すように、タッチパネル１００の画面には「認証番号を入力後、画面から指を離さないようにしてＳからＥまで指でスライドし、Ｅで画面から指を離して下さい。」とのメッセージが表示されているが、このメッセージは一例である。例えば「認証番号を入力後、Ｓキーにタッチし、その後、画面から指を離さないようにしてＥまで指でスライドして下さい。」というメッセージでもよい。
【００４０】
第２実施形態では、図７に示すように、認証情報入力前のタッチパネル１００の画面には、認証情報入力キー１４０と始点１４１と終点１４２とが表示されている。ここで、タッチパネル１００は、認証番号入力前には、認証情報入力キー１４０のみ表示し、始点１４１と終点１４２とを表示せず、予め定められた桁の認証番号が入力されたときに、始点１４１と終点１４２とを表示するようにしてもよい。また、始点１４１と終点１４２とを表示するときには、認証情報入力キー１４０の表示を消してもよい。この場合、最後の桁の入力誤りを訂正するために、Ｄｅｌキーの表示を維持してもよい。
【００４１】
・変形例７：
図１６は、変形例７における認証情報入力後のタッチパネル１００の表示画面の一例である。変形例７は、第２実施形態とほぼ同じであるが、予め定められた桁の認証番号が入力された後、案内線１６５を表示する点が異なる。案内線１６５は、始点１４１から認証情報入力キー１４０を通り終点１４２に至る線であり、認証情報の入力後にユーザーが指をどのようにスライドすべきかを案内する。ここで、案内線１６５は、全部の認証情報入力キー１４０を通る線でもよく、認証情報入力キー１４０のうちの認証情報の入力時にユーザーが接触した認証情報入力キー１４０の位置を含む線であれば、全部の認証情報入力キー１４０を通る線でなくてもよい。但し、前のユーザーが認証に失敗したことを考慮すると、全部の認証情報入力キー１４０を通る線であることが好ましい。ユーザーは、認証情報の入力後、タッチパネル１００に表示された案内線１６５に沿って指をスライドすればよいので、ユーザーがどのように指をスライドさせれば良いか、迷うことはない。変形例１〜６で示した認証情報入力キー１４０及び始点１４１、終点１４２の配置の場合についても、同様に案内線１６５を表示してもよい。なお、案内線１６５の形状は、１つの直線に限られず、２つ以上の直線で形成されるアルファベットの「Ｌ」や「Ｕ」の形や、曲線など１つの線あるいは一筆書きで描くことができる形状であってもよい。案内線１６５の終点１４２の位置は、１つの点に固定されていてもよい。
【００４２】
上記第１実施形態、第２実施形態では、タッチパネル１００は透明である。タッチパネル１００が透明であると、タッチパネル１００に指紋の跡が残った場合目立ちやすい。第１の実施形態、第２実施形態によれば、指紋の跡は指のスライドにより拭き取られるので、タッチパネル１００が透明な場合には、指紋の跡を目立ち難くする効果が大きい。
【００４３】
上記第２実施形態及び変形例１〜６において、タッチパネル１００は、認証情報入力キー１４０として、数字キーを表示しているが、数字キーに加えて、あるいは数字キーに代えて、数字以外の文字キーを表示してもよい。
【００４４】
本発明は、上述の実施形態に限られるものではなく、その趣旨を逸脱しない範囲において種々の構成で実現することができる。例えば、発明の概要の欄に記載した各形態中の技術的特徴に対応する実施形態の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【００４５】
１０…セキュリティ装置
２０…ＣＰＵ
１００…タッチパネル
１１０…入力用点
１１０ｅ…入力用点
１２０…終点
１３０…指のスライドの跡
１４０…認証情報入力キー
１４１…始点
１４２…終点
１５０…入力番号表示欄
１６０…指のスライドの跡
１６５…案内線
２００…認証部
３００…壁部
３１０…突出部
３１５…水平な面
【図１】
2018022266.tif 000003
【図２】
2018022266.tif 000004
【図３】
2018022266.tif 000005
【図４】
2018022266.tif 000006
【図５】
2018022266.tif 000007
【図６】
2018022266.tif 000008
【図７】
2018022266.tif 000009
【図８】
2018022266.tif 000010
【図９】
2018022266.tif 000011
【図１０】
2018022266.tif 000012
【図１１】
2018022266.tif 000013
【図１２】
2018022266.tif 000014
【図１３】
2018022266.tif 000015
【図１４】
2018022266.tif 000016
【図１５】
2018022266.tif 000017
【図１６】
2018022266.tif 000018